(57)【要約】【課題】任意のタイミングで地図画面上に分割画面として広域地図を表示することができる地図表示方法およびナビゲーション装置を提供する。【解決手段】タッチパネル１７に表示されているスケールバー１０を指３０１で押圧する。次に、指で押圧したまま詳細地図が表示されている表示地図領域１６ａまで指３０３を動かす。そして、表示地図領域１６ａ上で押圧を止め、指を離す。その結果、分割地図表示領域１６ｃに分割画面として広域地図が表示される。【選択図】図３
2006220884.tif 000002
【特許請求の範囲】
【請求項１】
タッチパネル画面上に表示されている地図の縮尺率を変更する複数のボタン群を備えるナビゲーション装置の地図表示方法において、
前記ボタン群のいずれか一つを指で押圧しながら押圧位置を移動することにより、前記タッチパネル画面上に表示されている主地図とともに、その主地図よりも縮尺率の小さい広域地図を表示することを特徴とする地図表示方法。
【請求項２】
請求項１の地図表示方法において、
前記ボタン群は前記主地図が表示されている領域のいずれか一辺に配置され、前記広域地図は、前記指によるタッチパネル押圧位置が前記主地図の表示領域まで移動して離したときに、前記主地図の一部を覆って表示されることを特徴とする地図表示方法。
【請求項３】
請求項１または２項に記載の地図表示方法において、
前記広域地図は、前記指で押圧を開始したいずれか一つのボタンに割り当てられている縮尺率で表示されることを特徴とする地図表示方法。
【請求項４】
請求項１〜３のいずれか１項に記載の地図表示方法において、
前記主地図の縮尺率は、前記広域地図が表示される前後で変更しないことを特徴とする地図表示方法。
【請求項５】
請求項１〜４のいずれか１項に記載の地図表示方法において、
前記広域地図は半透明であることを特徴とする地図表示方法。
【請求項６】
請求項１〜５のいずれか１項に記載の地図表示方法において、
前記いずれか一つのボタンを所定時間以上押圧し続けると、前記主地図の縮尺率は、押圧されたボタンに割り当てられている縮尺率に変更されることを特徴とする地図表示方法。
【請求項７】
請求項１〜６のいずれか１項に記載の地図表示方法において、
前記ボタン群は、前記一辺に沿って２列に並んで配置され、前記タッチパネルの外側の列に配置されているボタンを押圧しながら前記主地図の表示領域へ指を移動させるとき、前記タッチパネルの内側の列に配置されているボタンを押圧したときの信号を無効化することを特徴とする地図表示方法。
【請求項８】
請求項１〜７のいずれか１項に記載の地図表示方法において、
前記広域地図の任意の地点を指で押圧すると、前記主地図は、その縮尺率を変更せずに、前記押圧された地点を中心とする周辺地図に切換えられることを特徴とする地図表示方法。
【請求項９】
請求項１〜８のいずれか１項に記載の地図表示方法によって前記主地図と広域地図を表示する地図表示手段を備えることを特徴とするナビゲーション装置。
【発明の詳細な説明】
【技術分野】
【０００１】
本発明は、地図の表示画面に広域地図を分割画面表示する地図表示方法およびナビゲーション装置に関する。
【背景技術】
【０００２】
表示画面に表示した地図画面をスクロールすると分割画面に広域地図が表示される地図表示装置が知られている（特許文献１）。
【特許文献１】特開２００３−１８６３９２号公報
【発明の開示】
【発明が解決しようとする課題】
【０００３】
特許文献１に記載されている地図表示装置は、予め定めたタイミングで広域地図の分割画面表示を行い、広域地図を予め定めた縮尺率で表示するようにしている。そのため、操作者が任意のタイミングで広域地図の分割画面を表示させたり、その広域地図の縮尺率を自由に選択することができないという問題点がある。
【課題を解決するための手段】
【０００４】
（１）請求項１の発明は、タッチパネル画面上に表示されている地図の縮尺率を変更する複数のボタン群を備えるナビゲーション装置の地図表示方法に適用され、ボタン群のいずれか一つを指で押圧しながら押圧位置を移動することにより、タッチパネル画面上に表示されている主地図とともに、その主地図よりも縮尺率の小さい広域地図を表示することを特徴とする。
（２）請求項２の発明は、請求項１の地図表示方法において、ボタン群は主地図が表示されている領域のいずれか一辺に配置され、広域地図は、指によるタッチパネル押圧位置が主地図の表示領域まで移動して離したときに、主地図の一部を覆って表示されることを特徴とする。
（３）請求項３の発明は、請求項１または２項に記載の地図表示方法において、広域地図は、指で押圧を開始したいずれか一つのボタンに割り当てられている縮尺率で表示されることを特徴とする。
（４）請求項４の発明は、請求項１〜３のいずれか１項に記載の地図表示方法において、
主地図の縮尺率は、広域地図が表示される前後で変更しないことを特徴とする。
（５）請求項５の発明は、請求項１〜４のいずれか１項に記載の地図表示方法において、
広域地図は半透明であることを特徴とする。
（６）請求項６の発明は、請求項１〜５のいずれか１項に記載の地図表示方法において、いずれか一つのボタンを所定時間以上押圧し続けると、主地図の縮尺率は、押圧されたボタンに割り当てられている縮尺率に変更されることを特徴とする。
（７）請求項７の発明は、請求項１〜６のいずれか１項に記載の地図表示方法において、
前記ボタン群は、一辺で２列に並んで配置され、タッチパネルの外側の列に配置されているボタンを押圧しながら主地図の表示領域へ指を移動させるとき、タッチパネルの内側の列に配置されているボタンを押圧したときの信号を無効化することを特徴とする。
（８）請求項８の発明は、請求項１〜７のいずれか１項に記載の地図表示方法において、広域地図の任意の地点を指で押圧すると、主地図は、その縮尺率を変更せずに、押圧された地点を中心とする周辺地図に切換えられることを特徴とする。
（９）請求項９の発明によるナビゲーション装置は、請求項１〜８のいずれか１項に記載の地図表示方法によって主地図と広域地図を表示する地図表示手段を備えることを特徴とする。
【発明の効果】
【０００５】
本発明によれば、操作者は、所望のタイミングで地図画面上に分割画面表示された広域地図を表示することができ、また広域地図の縮尺率を自由に選択することができる。
【発明を実施するための最良の形態】
【０００６】
本発明の実施形態によるナビゲーション装置の構成を図１に示す。図１のナビゲーション装置１は、地図表示などの通常のナビゲーション機能をタッチパネルによる入力操作で行うようにしている。ナビゲーション装置１は、制御回路１１、ＲＯＭ１２、ＲＡＭ１３、現在地検出装置１４、画像メモリ１５、表示モニタ１６、タッチパネル１７、ＶＩＣＳ（道路交通情報システム）情報受信部１９およびディスクドライブ２０を有している。タッチパネル１７は、表示モニタ１６の表面に積層される透明のタッチスイッチである。この明細書中、表示モニタ１６に表示される画像がタッチパネル１７に表示されると表現する。タッチパネル１７には、タッチパネル１７からの信号によりタッチパネル１７の押圧位置を算出するタッチパネルコントロール部１８が接続されている。ディスクドライブ２０には、地図データが記録されたＤＶＤ−ＲＯＭ２１が装填される。地図データは、地図表示用データ、経路探索用データなどを含む。地図表示用データは、広域から詳細まで複数の縮尺率の地図データを有し、操作者の要求にしたがって、表示地図の縮尺率を変更することができる。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ２１に記憶された地図データに基づいて所定の経路探索処理を行うと、その処理結果が推奨経路として表示モニタ１６に表示される。
【０００８】
現在地検出装置１４は車両の現在地を検出する装置であり、たとえば、車両の進行方位を検出する振動ジャイロ１４ａ、車速を検出する車速センサ１４ｂ、ＧＰＳ（Ｇｌｏｂａｌ  Ｐｏｓｉｔｉｏｎｉｎｇ  Ｓｙｓｔｅｍ）衛星からのＧＰＳ信号を検出するＧＰＳセンサ１４ｃなどからなる。ナビゲーション装置１は、この現在地検出装置１４により検出された車両の現在地に基づいて、地図の表示範囲や経路探索開始点などを決定するとともに、地図上にその現在地を表示する。
【０００９】
画像メモリ１５は、表示モニタ１６に表示するための画像データを格納する。この画像データは道路地図描画用データや各種の図形データからなり、それらはディスクドライブ２０によって読み込まれるＤＶＤ−ＲＯＭ２１に記憶された地図データに基づいて、適宜生成される。ナビゲーション装置１は、このようにして生成された画像データを用いることによって地図表示など行うことができる。
【００１０】
表示モニタ１６は、地図データなどの各種情報に基づいて、自車位置付近の道路地図などの各種情報を画面表示としてナビゲーション装置１の操作者に提供する。上述したとおり、タッチパネル１７は表示モニタ１６のモニタ画面上に設けられた透明パネルであり、表示モニタ１６に表示したモニタ画面はタッチパネル１７を通して表示される。タッチパネル１７は入力機能を有し、タッチパネル１７に表示された地図画面や各種ボタン、表示メニューなどを指で押圧すると、タッチパネルコントロール部１８によって押圧位置が算出される。算出された押圧位置は制御回路１１に入力され、目的地を設定したり、各種ボタンや表示メニューに対応する機能を実行する。たとえば、タッチパネル１７に表示されたスクロールボタンを押圧すると、地図画面や選択メニューなどの表示をスクロールすることができる。
【００１１】
目的地が操作者により設定されると、ナビゲーション装置１は、ＧＰＳセンサ１４ｃにより検出された現在地を出発地として目的地までの経路演算を所定のアルゴリズムに基づいて行う。このようにして求められたルート（以下、探索ルートという）は、表示形態、たとえば表示色などを変えることによって、ほかの道路とは区別して画面表示される。これにより、操作者は地図上の探索ルートを画面上で認識することができる。また、ナビゲーション装置１は、探索ルートに従って車両が走行できるように、操作者に対して画面や音声などによる進行方向指示を行い、車両を誘導する。
【００１２】
ＶＩＣＳ情報受信部１９は、図示しないＶＩＣＳ情報センターから供給される渋滞情報などのＶＩＣＳ情報を受信し、制御回路１１に出力する。このＶＩＣＳ情報は主に高速道路上に設置されている電波ビーコンや、主に一般道路上に設置されている光ビーコン、またはＦＭ多重放送によって送信される。ナビゲーション装置１は、これらによって送信されたＶＩＣＳ情報をＶＩＣＳ情報受信部１９により受信する。
【００１３】
ディスクドライブ２０は、装填されたＤＶＤ−ＲＯＭ２１から、表示モニタ１６に地図を表示させるための地図データを読み出す。なお、ＤＶＤ−ＲＯＭ以外の他の記録メディア、たとえばＣＤ−ＲＯＭやハードディスクなどより地図データを読み出してもよい。
【００１４】
次に、本発明の実施形態の地図表示方法およびナビゲーション装置における操作者の操作を図２〜６を参照して説明する。
図２は、車両を走行中に表示されるナビゲーション装置１の表示画面であり、通常、地図画面の中央に自車位置２０１を表示した地図が地図表示領域１６ａに表示される。この明細書では、地図表示領域１６ａに表示される地図を主地図と呼ぶ。そして、地図表示領域１６ａの隣に設けた表示領域１６ｂにはスケールバー２０３〜２１５が表示される。スケールバー２０３〜２１５は、表示領域１６ｂ内においてタッチパネル１６の左辺に沿って２列に並んで配置されている。スケールバー２０３〜２１５は地図表示領域１６ａに表示される主地図の縮尺率を選択する複数のボタンであり、スケールバー２０３〜２１５を所定時間、たとえば、０．５秒間、指で押圧し続けると、地図縮尺率が変更され、新たな縮尺率の地図が表示される。たとえば、スケールバー２１５を所定時間押圧し続けると、地図の横の長さが、スケールバー２１５に表示されている１０ｍに相当する縮尺率の主地図が表示される。このように、押圧するスケールバー２０３〜２１５を選択することによって、主地図の縮尺率を選択することができる。
【００１５】
次に、表示中の主地図より広域を表示した広域地図を地図表示領域１６ａ内に分割画面として表示させる手順を説明する。たとえば、分割画面として表示する広域地図を地図の横の長さが２００ｍに相当する縮尺率で表示させる場合について、図３を参照して説明する。まず、スケールバー２１０を指３０１で押圧し、所定時間経過する前に、指３０１でタッチパネル１７を押圧したまま、符号３０２で示すように、地図表示領域１６ａまで指３０３を動かす。そして、地図表示領域１６ａの適宜の位置で押圧を止めて指３０３を離す。その結果、図４に示すように、地図表示領域１６ａの右下の分割画面領域１６ｃに広域地図が表示される。すなわち、地図表示領域１６ａに表示されている主地図の一部を覆うように分割画面領域１６ｃに広域地図が表示される。この広域地図の縮尺率は、分割画面領域１６ｃの横幅が２００ｍに相当する縮尺率である。つまり、分割画面領域１６ｃに表示される広域地図の縮尺率は、スケールバー２０３〜２１５のうち、指３０１を最初に押し下げしたスケールバーに基づいて選択される。
【００１６】
ここで、広域地図とは、地図表示領域１６ａの地図より縮尺率が小さく、地図表示領域１６ａに表示されている地図範囲を含む地図をいう。広域地図が表示されても、地図表示領域１６ａに表示中の主地図の縮尺率は変更されない。また、分割画面領域１６ｃに広域地図が表示されるのと同時に、スケールバー２０３〜２１５は非表示になるとともに、広域地図にも自車位置４０２が表示される。広域地図は半透明で表示され、地図表示領域１６ａに表示されている道路やランドマークなどは、分割画面領域１６ｃ内でも薄く表示さ
れる。また、分割画面領域１６ｃの右上には非表示マーク４０３が表示されており、非表示マーク４０３を押圧すると、分割画面領域１６ｃ全体が非表示になる。分割画面領域１６ｃが非表示になると、図２に示すスケールバー２０３〜２１５が表示される画面となる。
【００１７】
次に、広域地図を地図表示領域１６ａ内に分割表示するための処理手順を図５のフローチャートを参照して説明する。この処理は制御回路１１においてプログラムを実行して行われる。
【００１８】
ステップＳ５０１では、タッチパネルコントロール部１８から出力された信号が、スケールバー２０３〜２１５を押圧したときの信号（スケールバー信号）であるか判定する。スケールバー信号でないと判定された場合は、ステップＳ５０１に戻る。スケールバー信号と判定された場合はステップＳ５０２へ進み、スケールバー信号が主地図の横幅に相当する距離よりも大きい距離を表示したスケールバー２０３〜２１５を押圧したときのものであるか、つまり主地図よりも広域の地図を表示するスケールバー２０３〜２１５を押圧したときのスケールバーの信号であるか判定する。ステップＳ５０２が肯定されるとステップＳ５０３へ進み、否定されるとステップＳ５０１へ戻る。このように、スケールバー信号が主地図の横幅に相当する距離よりも大きい距離を表示したスケールバー２０３〜２１５を押圧したときのものであるか判定するのは、広域地図により主地図がどの地域を表示しているものであるかを理解し易くすることが、新たに表示させる地図の目的であるからである。
【００１９】
ステップＳ５０３では、ステップＳ５０１で検出されたスケールバー信号と異なるスケールバー信号がタッチパネルコントロール部１８から出力されている場合、そのスケールバー信号を無効とする。これは、スケールバー２０３〜２１５のいずれか一つを押圧しながら指を移動させる際、別のスケールバー２０３〜２１５を押圧することがあり、その場合、最初のスケールバー信号のみを有効化するためである。
【００２０】
ステップＳ５０４では、所定時間、たとえば０．５秒間待機する。そして、ステップＳ５０５でタッチパネルコントロール部１８からスケールバー信号を読み込み、ステップＳ５０１で検出したスケールバー信号と同一のスケールバー信号であるか判定する。同一信号と判定された場合は、スケールバー２０３〜２１５のいずれか一つを所定時間押圧し続けたと判定し、ステップＳ５０６へ進む。
【００２１】
ステップＳ５０６では、地図表示領域１６ａの主地図の縮尺率を、主地図の横幅が押圧したスケールバー２０３〜２１５に表示されている距離になるような縮尺率に変更する。同一信号でない場合は、押圧位置が押圧しながら移動したと判定し、ステップＳ５０７へ進む。そして、タッチパネルコントロール部１８から地図表示領域１６ａを押圧したときの信号、すなわち地図領域信号が出力されたか判定する。地図領域信号ではないと判定されるとステップＳ５０１へ戻り、地図領域信号と判定された場合はステップＳ５０８へ進む。
【００２２】
ステップＳ５０８では、タッチパネルコントロール部１８から地図領域信号の出力が停止したか判定する。停止しないと判定された場合はステップＳ５０８に止まり、停止した場合は、地図表示領域１６ａで押圧した指をタッチパネル１７から離したと判断してステップＳ５０９に進む。ステップＳ５０９では、ステップＳ５０１で検出されたスケールバー信号に応じた縮尺率で広域地図を分割画面領域１６ｃに表示する。
【００２３】
以上のようにして、スケールバー２０３〜２１５のいずれか一つを指で押圧しながら地図表示領域１６ａまで移動して指をタッチパネルから離すと、広域地図が地図表示領域１６ａの右隅の分割画面領域１６ｃに表示される。
【００２４】
次に図５のフローチャートのステップＳ５０１で判定されるスケールバー信号および、ステップＳ５０６で判定される地図領域信号について説明する。
【００２５】
この実施の形態では、スケールバー２０３〜２１５を押圧したか否か、そして、地図表示領域１６ａを押圧したか否かを判定できるように、図６に示すように、タッチパネル１７にタッチエリア６０１と６０２〜６１４を設定する。タッチエリア６０１は、押圧した位置が地図表示領域１６ａであることを判定するための領域で、このタッチエリア６０１内の位置信号が地図領域信号である。タッチエリア６０２〜６１４はスケールバー２０３〜２１５が表示されている位置に押圧されたことを判断するための領域である。タッチエリア６０２〜６１４内の位置信号がスケールバー信号である。
【００２６】
そして、タッチパネルコントロール部１８から地図領域信号が出力されれば、制御回路１１は、地図表示領域１６ａが押圧されたと判定し、タッチパネルコントロール部１８からスケールバー信号が出力されれば、制御回路１１は、スケールバー２０３〜２１５のいずれかが押圧されたことを判定することができる。
【００２７】
上記タッチパネルコントロール部１８からの各種信号について説明する。まず、タッチパネルの原理を、図７を参照して説明する。図７はタッチパネルの断面を示す図であり、タッチパネル１７は、ＩＴＯ（Ｉｎｄｉｕｍ  Ｔｉｎ  Ｏｘｉｄｅ）膜などの透明導電膜７１を形成したガラス基板７２に、スペーサ７３をはさんで、ＩＴＯ膜などの透明導電膜７４を形成したＰＥＴ（Ｐｏｌｙｅｔｈｙｌｅｎｅ  Ｔｅｒｅｐｈａｌａｔｅ）フィルム７５を貼り合わせることによって作製する。ＰＥＴフィルム７５は可撓性を有するので、ＰＥＴフィルム７５の表面を押圧すると、ガラス基板７２に形成された透明導電膜７１とＰＥＴフィルム７５に形成された透明導電膜７４は押圧した位置で短絡を起こす。
【００２８】
次に、図８を参照してタッチパネルコントロール部１８の押圧位置の信号の出力原理を説明する。この押圧をして短絡を起こした位置を図８のＡ点とする。ＰＥＴフィルム７５に形成されている透明導電膜７４にＸ軸電極８１，８２を形成する。ガラス基板７２に形成されている透明導電膜７１にＹ軸電極８３，８４を形成する。そして、Ｘ軸電極８１，８２およびＹ軸電極８３，８４はタッチパネルコントロール部１８に接続されている。
【００２９】
Ａの位置で押圧されるとき、Ｘ軸電極８１，８２に電圧を印加すると、透明導電膜７１と７４は短絡されているので、Ｙ軸電極８３，８４において電圧が検出される。この検出された電圧値から押圧位置のＸ座標がタッチパネルコントロール部１８にて算出される。一方、Ｙ軸電極８３，８４に電圧を印加すると、同様にしてＸ軸電極８１，８２において電圧が検出される。この検出された電圧値により押圧位置のＹ座標がタッチパネルコントロール部１８にて算出される。以上より、Ｘ軸電極８１，８２とＹ軸電極８３，８４に交互に電圧を印加することにより、押圧位置Ａの位置（Ｘ，Ｙ）が算出される。このように算出された押圧位置Ａは位置信号としてタッチパネルコントロール部１８から制御回路１１へ出力される。
【００３０】
この位置信号がタッチエリア６０１内の位置信号であると判定された場合は、制御回路１１は地図領域信号と認識し、タッチエリア６０２〜６１３内からの位置信号であると判定された場合は、制御回路１１はスケールバー信号と認識する。
【００３１】
以上の実施の形態によるナビゲーション装置は次のような作用効果を奏する。
（１）タッチパネル１７に表示されているスケールバー２０３〜２１５のいずれか一つのボタンを押圧し、押圧しながら押圧位置を移動する（こすりだす）だけで、広域地図が表示される。したがって、操作者が任意にしかも簡単に広域地図を表示させることができ、操作者の利便性が向上する。
（２）タッチパネル１７に表示されているスケールバー２０３〜２１５を押圧し、押圧しながら押圧位置を地図表示領域１６ａに移動する操作は、ある見方をすれば、スケールバー２０３〜２１５から地図表示領域１６ａに広域地図を移動させる操作に見える。よって、操作者は操作に違和感なく広域地図を表示させることができる。
【００３２】
（３）地図表示領域１６ａでタッチパネル１７の押圧を止めたことにより広域地図を表示させるようにしたので、地図表示領域１６ａに表示されている地図の縮尺率を変更しようとスケールバー２０３〜２１５を押圧したとき多少指が動いてしまっても、広域地図が表示されることはない。よって、不必要な広域地図の表示を防止することができる。
（４）地図縮尺率を変更するスケールバー２０３〜２１５を用いて、所定の縮尺率の広域地図を表示させることができる。このように、タッチパネル１７に表示されているスケールバー２０３〜２１５のボタンの押圧方法、すなわち、所定時間押圧し続けるか、または押圧した後に押圧したまま押圧位置を移動させるかによって、一つのボタンに二つの機能すなわち、主地図の縮尺率を変更させる機能と、所定の縮尺率の広域地図を分割表示（２画面表示）する機能を付与するようにしたので、広域地図を分割画面として表示させるボタンや分割画面領域１０６ｃ内に表示する広域地図の縮尺率を決定するボタンを新たに設ける必要はない。したがって、タッチパネルに表示するボタンの数を減らせるので、タッチパネルの表示が見やすくなり、安全にナビゲーション装置を操作することができる。
【００３３】
（５）最初に押圧するスケールバー２０３〜２１５に割り当てられている地図縮尺率を選択するようにしたので、操作者の望む縮尺率で広域地図を表示することができ、操作者の利便性が向上する。
（６）分割画面領域１６ｃに広域地図を表示する前後においても、地図表示領域１６ａの地図の縮尺率は変更しない。その結果、操作者は、広域地図の表示後においても違和感なく地図表示領域１６ａの主地図を見ることができる。
【００３４】
（７）タッチパネル１６の外側の列に配置されているスケールバー２０３，２０５，２０７，２０９，２１１，２１３，２１５を押圧しながら主地図の表示領域１６ａへ指を移動したとき、タッチパネル１６の内側の列に配置されているスケールバー２０４，２０６，２０８，２１０，２１２，２１４を押圧することになるが、このときスケールバー２０４，２０６，２０８，２１０，２１２，２１４から出力される信号を無効化することにより、広域地図の縮尺率を操作者の希望する縮尺率に正しく設定することができる。
（８）分割画面領域１１ｃ内の広域地図を半透明で表示するようにしたので、主地図を隠しているという、操作者に与える圧迫感を柔らげることができる。
【００３５】
次に本発明の他の実施形態のナビゲーション装置について説明する。このナビゲーション装置では、分割画面領域１６ｃ内に表示されている広域地図上の任意の位置を押圧すると、押圧した位置を中心とする主地図を地図表示領域１６ａに表示することができる。この場合の地図の縮尺率は、もともと地図表示領域１６ａに表示する地図縮尺率である。
【００３６】
図９および図１０を参照して説明する。図９は、操作者が分割画面領域１６ｃ内の広域地図を指９０２で押圧した様子を示した図であり、押圧する位置は自車位置４０２から離れた位置９０１である。この位置９０１は、地図表示領域１６ａに表示している主地図の範囲外の位置である。
【００３７】
広域地図上の位置９０１を指９０２で押圧すると、図１０に示すように、分割画面領域１６ｃ内の広域地図上で押圧した位置９０１を中心とする周辺地図が地図表示領域１６ａに表示される。表示された周辺地図の縮尺率は、広域地図を押圧する前に地図表示領域１６ａに表示されていた主地図の縮尺率と同じである。広域地図上で指定した位置９０１は、地図表示領域１６ａに表示された周辺地図上に指定地点１０２として表示される。
以上のようにして、操作者は、自車位置２０１から離れている位置９０１の周辺地図を地図表示領域１６ａに表示させることができる。
【００３８】
再び自車位置２０１を表示した地図を地図表示領域１６ａに表示させたい場合は、広域地図に表示されている自車位置４０２を押圧すれば、すぐに自車位置２０１を中心とする周辺地図を地図表示領域１６ａに表示させることができる。また、自車位置２０１から離れている別の位置を中心とする周辺地図を地図表示領域１６ａに表示させたい場合は、広域地図上の別の位置を押圧すればよい。すなわち、分割画面領域１６ｃに表示されている広域地図に表示されている範囲内であれば、どこでも、その地点を中心とする周辺地図を地図表示領域１６ａに簡単に表示させることができる。
【００３９】
次に、分割画面領域１６ｃ内の広域地図を押圧することによって、押圧位置を中心とする周辺地図を地図表示領域１６ａに表示させる仕組みについて説明する。
広域地図上を押圧すると、タッチパネルコントロール部１８から位置信号が制御回路１１に出力される。そして、その位置信号から広域地図のどの位置が押圧されたか計算され、地図表示領域１６ａに表示される地図の中心座標が決定される。そして、その中心座標が地図表示領域１６ａに表示される地図の中心に表示されるように、ＤＶＤ−ＲＯＭ２１に記憶されている地図データから地図画面が生成され、広域地図上で押圧した位置９０１を中心とする周辺地図が地図表示領域１６ａに表示される。
【００４０】
以上の本発明の別の実施の形態によるナビゲーション装置は次のような作用効果を奏する。
（１）操作者は、分割画面領域１６ｃに表示される広域地図上の任意の位置を押圧することによって、地図表示領域１６ａの主地図に表示されていない地点を中心とする周辺地図をスクロールすることなしで表示させることができる。よって、操作者は、地図表示領域１６ａの主地図に地図表示されていない地点をすぐに表示させることができ、操作者の利便性が向上する。
（２）操作者は、自車位置４０２から離れている位置を中心とする周辺地図を地図表示領域１６ａに表示させた上で、広域地図上での自車位置４０２を押圧することによって、すぐに自車位置２０１を中心とする主地図を地図表示領域１６ａに再び表示させることができる。よって、自車位置２０１を中心とする主地図を表示しているとき、一時的に短時間、自車位置４０２から離れている地点を中心とする周辺地図を見たい場合にも対応することができ、操作者の利便性が向上する。
【００４１】
以上の実施形態では、スケールバー２０３〜２１５を指で押圧し、指で押圧しながら地図表示領域１６ａまで移動し、そして地図表示領域１６ａで押圧を止めて離すと、広域地図を表示するものとしたが、押圧しながら地図表示領域１６ａに移動するだけで広域地図を表示させてもよい。
【００４２】
以上の実施形態では、地図分割表示領域１６ｃに表示される広域地図４０１は半透明であるが、半透明でなくてもよい。また、広域地図は地図表示領域１６ａの右下隅に表示したが、とくに右下隅に限定されない。
【００４３】
特許請求の範囲の要素と実施の形態との対応関係を説明する。
主地図は地図表示領域１６ａに表示される地図に対応し、広域地図は分割画面領域１６ｃに表示される広域地図に対応する。ボタン群はスケールバー２０３〜２１５に対応し、主地図の表示領域は地図表示領域１６ａに対応する。なお、以上の説明はあくまで一例であり、発明を解釈する上で、上記の実施形態の構成要素と本発明の対応関係になんら限定されるものではない。
【図面の簡単な説明】
【００４４】
【図１】本発明のナビゲーション装置の構成を示すブロック図である。
【図２】操作者が走行中、通常表示するナビゲーション装置の表示画面を示す図である。
【図３】広域地図を主地図の表示範囲内に表示するための操作を説明するための図である。
【図４】広域地図を主地図の表示範囲内に分割画面として表示したときのタッチパネルの表示画面である。
【図５】広域地図を主地図の表示範囲内に表示するための制御回路における処理を示すフローチャートである。
【図６】タッチパネルに設定されたタッチエリアを示す図である。
【図７】タッチパネルの断面を示す図である。
【図８】タッチパネルの押圧位置の信号の出力原理を説明する図である。
【図９】操作者が広域地図を指で押圧した様子を示した図である。
【図１０】広域地図を押圧した位置の周辺地図が表示されたナビゲーション装置の表示画面を示す図である。
【符号の説明】
【００４５】
１  ナビゲーション装置
１１  制御回路
１６ａ  地図表示領域
１６ｂ  表示領域
１６ｃ  分割画面領域
１７  タッチパネル
１８  タッチパネルコントロール部
２０１、４０２  自車位置
２０３〜２１５  スケールバー
【図１】
2006220884.tif 000003
【図２】
2006220884.tif 000004
【図３】
2006220884.tif 000005
【図４】
2006220884.tif 000006
【図５】
2006220884.tif 000007
【図６】
2006220884.tif 000008
【図７】
2006220884.tif 000009
【図８】
2006220884.tif 000010
【図９】
2006220884.tif 000011
【図１０】
2006220884.tif 000012